(57)【要約】【課題】  この発明は、コンパクトディスクをしっかりと支持して整然と収納・陳列することができるようなコンパクトディスク・スタンドを提供したり、さまざまな厚みのコンパクトディスクを各々の厚みの違いに制限されることなく自由に、且つ整然と収納・陳列できるようなコンパクトディスク・スタンドを提供することを課題とする。【解決手段】  このスタンドは、台座と、該台座に取り付けられる、コンパクトディスクのケースを立てかけるための複数個の支持体と、からなるコンパクトディスク・スタンドに於いて、前記台座に前記支持体を固定的にまたは着脱自在に取り付けるための取付手段が適宜間隔に設けられていると共に、高さまたは厚みの異なる前記支持体を備えているものとしたり、前記台座に前記支持体を固定的にまたは着脱自在に取り付けるための取付手段が適宜間隔に設けられていると共に、前記支持体がコンパクトディスクのケースを掛止するための掛止手段を備えているものとした。【選択図】図１
2009046200.tif 000002
【特許請求の範囲】
【請求項１】
台座と、該台座に取り付けられる、コンパクトディスクのケースを立てかけるための複数個の支持体と、からなるコンパクトディスク・スタンドに於いて、前記台座には前記支持体を固定的にまたは着脱自在に取り付けるための取付手段が適宜間隔に設けられていると共に、高さまたは厚みの異なる前記支持体を備えていることを特徴とする、コンパクトディスク・スタンド。
【請求項２】
前記支持体が、立てかけられたコンパクトディスクのケースを掛止するための掛止手段を備えているものである、請求項１に記載のコンパクトディスク・スタンド。
【請求項３】
台座と、該台座に取り付けられる、コンパクトディスクのケースを立てかけるための複数個の支持体と、からなるコンパクトディスク・スタンドに於いて、前記台座には前記支持体を固定的にまたは着脱自在に取り付けるための取付手段が適宜間隔に設けられていると共に、前記支持体がコンパクトディスクのケースを掛止するための掛止手段を備えていることを特徴とする、コンパクトディスク・スタンド。
【請求項４】
高さまたは厚みの異なる前記支持体を備えている、請求項３に記載のコンパクトディスク・スタンド。
【請求項５】
前記支持体を逆クサビ形状に構成することによって掛止手段とした、請求項２または請求項３に記載のコンパクトディスク・スタンド。
【請求項６】
前記支持体にフランジ部を設けることによって掛止手段とした、請求項２または請求項３に記載のコンパクトディスク・スタンド。
【請求項７】
前記台座を略垂直の姿勢を取らせるための垂直設置手段を備えている、請求項３に記載のコンパクトディスク・スタンド。
【請求項８】
更にガラス板やアクリル板などから成る、コンパクトディスクのケースの前に置くための透明な保護板を備えている、請求項７に記載のコンパクトディスク・スタンド。
【請求項９】
背中合わせに重合して１つの前記支持体を構成するようにしたものである、請求項１または請求項３に記載のコンパクトディスク・スタンド。
【請求項１０】
複数個の前記台座を備えると共に、各々の台座を連結するための連結手段を備えている、請求項１または請求項３に記載のコンパクトディスク・スタンド。
【発明の詳細な説明】
【技術分野】
【０００１】  この発明は、コンパクトディスクをしっかりと支持して、整然と収納・陳列することができるようなコンパクトディスク・スタンドに関するものである。またさまざまな厚みのコンパクトディスクを各々の厚みの違いに制限されることなく収納・陳列することができるようなコンパクトディスク・スタンドに関するものである。なおスタンドは正確にはコンパクトディスクを納めるケースのスタンドと言うことになるが、この発明ではコンパクトディスク・スタンドと称するものとする。
【背景技術】
【０００２】  従来のコンパクトディスク・スタンドには、例えば特開平０８−０３４４８２号の矩形のトレイ上に複数本のピンを方眼状に配置し、ピンの一方向の間隔をＣＤジャケットの厚みにほぼ等しくし、直角方向の間隔をＭＤジャケットの厚みにほぼ等しくしたものがある。従ってＣＤジャケットとＭＤジャケットとは互いに直角方向に納められる。また特開平１０−１４７３８９号は底壁上に第一の隔壁を等間隔で立設し、この第一の隔壁の間にこれよりも背の低い第二の隔壁を立設して成るものであり、幅の広いＣＤジャケットは第二の隔壁の頂部を底部として広い間隔で設けられた第一の隔壁の間に納められ、幅の狭いＣＤジャケットは第一の隔壁と第二の隔壁との間に納められる。なお登録実用新案第３０３０５６７号のディスク収納用アタッチメントもこれに類する。また例えば実開平０６−０６１７８５号は基体上に隔壁が等間隔に固定的に設けられていると共に、支持壁が板バネ上に昇降可能に設けられており、シングルサイズのＣＤケースは隔壁と支持壁との間に納められるが、ダブルサイズのＣＤケースは２つの隔壁間に納められ、この際に隔壁間にある支持壁はＣＤケースの重量で板バネと共に押し下げられる。
【特許文献１】  特開平０８−０３４４８２号公報
【特許文献２】  特開平１０−１４７３８９号公報
【特許文献３】  実開平０６−０６１７８５号公報
【特許文献４】  登録実用新案第３０３０５６７号公報
【発明の開示】
【発明が解決しようとする課題】
【０００３】  上述した特開平０８−０３４４８２号のピン２は滑りやすくケースをしっかりと受け止めることができないため、ケースの傾斜角がまちまちになり雑然とした感じを受ける場合がある。これは登録実用新案第３０３０５６７号の仕切片３，４でも同様に見られる。また特開平１０−１４７３８９号は構造が非常に複雑である上に、受座となる部材５’上でケースが不安定になる問題があり雑然とした感じが残る。実開平０６−０６１７８５号も支持壁６を板バネ８で昇降可能に支持しているため、同様に支持壁６上でケースが不安定になる問題があり収納が雑然となりやすい。【０００４】  そこでこの発明の第１の目的は、コンパクトディスクをしっかりと支持して、整然と収納・陳列することができるようにすることにある。【０００５】  次に上述の各種技術は、幅の異なる２種類のケースを納めることを目的とし、これ等は整然と納めることができるものの、これ以外にも存在するさまざまな幅のケースを整然と綺麗に陳列することができない。傾斜姿勢がまちまちになってしまうなどするためである。【０００６】  更に特開平０８−０３４４８２号ではＣＤジャケットとＭＤジャケットとが互いに直角に納められるため、同方向に揃えて納めることができない問題や、ＣＤジャケットもＭＤジャケットもその収納位置が限定されてしまうと言う問題がある。また特開平１０−１４７３８９号によればＣＤジャケットの高さが揃わず綺麗に陳列されないという欠点がある。同様の欠点は登録実用新案第３０３０５６７号にも見られる。なおこのものには更に幅の広いＣＤケースの底に仕切片が入る溝を設けておく必要があると言う別の問題もある。また実開平０６−０６１７８５号によればダブルサイズのＣＤケースに付いては板バネによって常に上方に付勢されているため置く際にＣＤケースが跳ね上がると言う問題がある。【０００７】  そこでこの発明は、さまざまな厚みのコンパクトディスクを各々の厚みの違いに制限されることなく自由に、且つ整然と収納・陳列できるようなスタンドを提供することを目的とすることを第２の目的とする。
【課題を解決するための手段】
【０００８】  上記課題は、台座と、該台座に取り付けられる、コンパクトディスクのケースを立てかけるための複数個の支持体と、からなるコンパクトディスク・スタンドに於いて、前記台座には前記支持体を固定的にまたは着脱自在に取り付けるための取付手段が適宜間隔に設けられていると共に、高さまたは厚みの異なる前記支持体を備えたものとすることにより達成される。支持体は取付手段を用いて台座に固定的にまたは着脱自在に取り付けられる。納めようとするコンパクトディスクの厚みに合わせて支持体を台座の所望の箇所に固定すれば良い。あるいは支持体を台座に着脱自在に取り付けることができるものであれば、支持体を台座の所望の箇所に取り付けたり取り付け直したりすることが可能なため、支持体間の間隔をコンパクトディスクのケースに合わせて何度でも調節することができる。更にこの支持体は高さの異なるものの内から所要のものが選択可能であるため、例えばコンパクトディスクのケースの厚みがごく薄いものである場合には、ケースの背が当る側の支持体により背の高いものを用いて、ケースが後方に寝ないように傾倒角度を調節する。あるいは前記支持体は、厚みの異なるものの内から所要のものが選択可能であり、例えばコンパクトディスクのケースの厚みがごく薄いものである場合には、より厚みのある支持体を用いてケースの傾倒角度を調節する。こうして厚みの異なるコンパクトディスクのケースの高さを全体として揃えて整然と納めることが可能になるのである。このようにして第１の目的が達成されている。【０００９】  なお前記支持体が、立てかけられたコンパクトディスクのケースを掛止するための掛止手段を備えているものとしても良い。この掛止手段はケースが倒れてしまうのを、ぎゅっと捕らえてしっかりと掛け止めることにより制限して安定させるものであるため、どのような厚みのケースであってもやはり整然と納めるのに役立つのである。このようにして第２の目的が達成されている。【００１０】  また上記課題は、台座と、該台座に取り付けられる、コンパクトディスクのケースを立てかけるための複数個の支持体と、からなるコンパクトディスク・スタンドに於いて、前記台座には前記支持体を固定的にまたは着脱自在に取り付けるための取付手段が適宜間隔に設けられていると共に、前記支持体がコンパクトディスクのケースを掛止するための掛止手段を備えたものとすることにより達成される。支持体は取付手段を用いて台座に固定的にまたは着脱自在に取り付けられる。従って納めようとするコンパクトディスクの厚みに合わせて支持体を台座の所望の箇所に固定すれば良い。あるいは支持体を台座に着脱自在に取り付けることが可能なものであれば、支持体を台座の所望の箇所に取り付け、また取り付け直したりすることができるため、支持体間の間隔をコンパクトディスクのケースに合わせて何度でも調節することができる。もちろん支持体を同一厚みのケース専用となるように固定または着脱自在とすることが可能である。そしてこのような際に、前記支持体が掛止手段を備えていることによって、立てかけられたコンパクトディスクのケースをぎゅっと捕らえしっかりと掛止して、ケースが不本意に倒れてしまうのを阻止する。このようにして第２の目的が達成される。【００１１】  なお高さまたは厚みの異なる前記支持体を備えるようにすると、上述したような理由でさまざまな厚みのコンパクトディスクのケースの高さまちまちにならないように全体として揃えて整然と納めることが可能になる。【００１２】  次に請求項２または請求項３に記載した発明に関して、前記支持体を逆クサビ形状に構成することにより掛止手段とすることができる。主としてこの逆クサビの部分はケースの下縁部をぎゅっと捕らえてしっかりと掛止するのに極めて都合が良い。【００１３】  逆クサビ形状以外にも、一実施形態として、前記支持体にフランジ部を設けることによって掛止手段とすることができる。このフランジ部はケースの下縁部を確実に捕らえてしっかりと掛止するのに極めて都合が良いものである。一例として金属性のネジを上げることができる。ネジを例えば金属製の支持板に止めるのであるがネジの頂部にはフランジ部が設けられている。なおネジの高さの異なるものをいくつか用意したり、フランジ部の直径の異なるものをいく種類か用意するようにしても良い。【００１４】  次に請求項３に記載の発明に関して、前記台座を略垂直の姿勢を取らせるための垂直設置手段を備えることによって、台座を背に、支持体を底に、コンパクトディスクのケースを立てその表側を見せ、ケースを台座に持たせ掛けるようにして納めることができるものとなる。特にこの構成によればコンパクトディスクの展示に最適である。【００１５】  このものに付いて更に、ガラス板やアクリル板などから成る、コンパクトディスクのケースの前に置くための透明な保護板を備えているものとすることができる。コンパクトディスクの展示などに際してより装飾的に見せたり、コンパクトディスクに直接触れられないようにすることが可能である。なおコンパクトディスクのケースに代えて写真や絵画を展示するために、この構成の展示台を用いることができる。このようにして写真や絵画の展示に適したこれまでにない新しいタイプのフレームを提供し得るのである。このものは上述の見せ方に止まらず、写真や絵画の交換が容易であると言う効果を奏する。【００１６】  次に請求項１のコンパクトディスク・スタンドであっても、請求項３のコンパクトディスク・スタンドであっても、前記支持体に関して、背中合わせに重合して１つの支持体を構成するようにすることができる。支持体は２個１対であり、例えば背の高いものと背の低いものとを背中合わせに組み合わせて１個の支持体を構成するなどとする。いま仮にコンパクトディスクのケースの厚みがごく薄いものである場合には、ケースの背が当る側の支持体の内の前側の半分の支持体により背の高いものを用いると共に、ケースの前角が当る側の支持体の内の後側の半分の支持体により背の低いものを用いるようにすることで、ごく薄いケースでも後方に寝ないようにすることができるのである。あるいは前記支持体は厚さの異なるものの内から所要のものが選択可能であり、例えばコンパクトディスクのケースの厚みがごく薄いものである場合には、ケースの背が当る側の支持体の内の前側の半分の支持体に、および／またはケースの前角が当る側の支持体の内の後側の半分の支持体に、より厚みのあるものを調節的に用いることでケースの傾倒角度を最適なものに定めることが可能である。従ってさまざまな背の高さや厚さの組み合わせを実現し得るのである。【００１７】  また請求項１のコンパクトディスク・スタンドであっても、請求項３のコンパクトディスク・スタンドであっても、複数個の前記台座を備えると共に、各々の台座を連結するための連結手段を備えているものとすることができる。この構成によれば連結手段を用いて複数個の台座を連結して行くことが可能となるため、陳列できるコンパクトディスクのケースの数量に制限がなくなるのである。
【発明の効果】
【００１８】  この発明のコンパクトディスク・スタンドによれば、納めたいとする厚みのコンパクトディスクのケースの厚みに合わせて支持体を台座の所望の箇所に固定すると共に、あるいは支持体を台座に着脱自在に取り付けることができるものであれば支持体間の間隔を納めようとするコンパクトディスクのケースの厚みに合わせて何度でも調節できるようにすると共に、高さまたは厚みの異なる前記支持体を備えたものとしたため、第１の目的であるところの、厚みの異なるコンパクトディスクのケースの高さを、全体として揃えて整然と納めることを可能にしている。【００１９】  また納めたいとする厚みのコンパクトディスクを決めてそれに合わせて支持体を台座の所望の箇所に固定すると共に、あるいは支持体を台座に着脱自在に取り付けることができるものであれば、支持体間の間隔を納めようとするコンパクトディスクのケースの厚みに合わせて何度でも調節できるようにすると共に、前記支持体がコンパクトディスクのケースを掛止するための掛止手段を備えたものとしたため、第２の目的であるところの、コンパクトディスクのケースをしっかりと支持して整然と収納・陳列することを可能にしている。【００２０】  なお台座の垂直設置手段を備えているものはコンパクトディスクの表側を見せての展示に最適である。また複数個の台座とそれ等の連結手段とを備えているものによれば、陳列可能なコンパクトディスクの数量を自由に増やして行くことができると言う利点が追加される。
【発明を実施するための最良の形態】
【００２１】  第１の実施形態
この実施形態のコンパクトディスク・スタンドを図１の斜視図及び図２のＸ−Ｘ断面図で表わす。以下ではコンパクトディスク・スタンドをスタンド１と称する。この実施形態のスタンド１は台座１０と支持体１１との組み合わせに成るものであり、台座１０には両側を鉄製のヨーク２０で挟んだ磁石２が等間隔で埋め込まれており、支持体１１の底部には鉄製の磁着板２１が設けられている点に特徴を有する。すなわちヨーク２０で挟まれた磁石２と磁着板２１とで着脱手段を構成している。この着脱手段を設ける間隔は適宜でよいが、ここでは等間隔としている。なお支持体１１には背の高いものと低いものとを用意してある。【００２２】  図２はこの使用状態を表わしたものであるが、畝のように並んだ磁石２のラインの任意のものに支持体１１を近付けると、磁石２が支持体１１の磁着板２１を吸着して磁石２のライン上に支持体１１が立設される。この際に磁石２はその両側を鉄製のヨーク２０で挟まれているため、磁石２の磁力線はヨーク２０と磁着板２１とで作られる磁力線回路に集中して、磁着板２１に対する強力な吸着力を現じて、実質的に支持体１１を台座１０に強固に固定することになる。【００２３】  いま例えば背の高い支持体１１と低い支持体１１とを図２で表わしたように配置して台座１０に固定したとする。一般的な厚さのコンパクトディスクのケース（以下ではＣＤケースと称する）を支持するためには、隣り合う磁石２に背の低い支持体１１を固定して、この間にＣＤケースＣ−１を立て掛けるようにすればよい。また２枚組、３枚組などのＣＤを納めた特に厚いＣＤケースＣ−２のためには、磁石２を一つ空けるようにしてＣＤケースＣ−２の前方となる側の磁石２に背の低い支持体１１を、後方となる側の磁石２に背の高い支持体１１を固定するようにすればよい。また特に薄いＣＤケースＣ−３の場合にはその前後に背の高い支持体１１を固定する。このようにしてＣＤケースＣ−１〜Ｃ−３はその頂部が図２で表わしたように一点鎖線上にほぼ揃うため、整然として見えるのである。なお比較的強い力を掛けることによって支持体１１を磁石２から外すことができるので、この配置を自由に変更することが可能である。【００２４】  前記支持体１１には高さの異なるものを複数個用意したが、厚さの異なるものを用いることで、さまざまな厚さのＣＤケースに対応し得る。図３（Ａ）で示したものは支持体１２の両側に発泡ゴムの弾性材１３を貼付して成るものであり、弾性材１３には滑り止めの役割がある。この弾性材１３の厚さを変えて各種のものを揃えるようにする。また図３（Ｂ）で示したものは支持体１４の両側に水平に並ぶ凹凸部１５を設けて成るものである。この凹凸部１５は掛止手段である。【００２５】  第２の実施形態
この実施形態のスタンド３を図４の側面図及び図５の支持体４の説明図を用いて説明する。この実施形態のスタンド３は台座３０と支持体４との組み合わせに成るものであり、台座３０には断面が台形状を呈するアリ溝３１が等間隔で並行に設けられている。支持体４は嵌合部４１と支持部４０とから成る各種のものをものを２個１対で用い（図５で示したものは嵌合部４１こそ同一であるものの、高さＨと厚さＷとが異なるものが３種類示されている）、各々の背面部４２同士を合わせることで各種の支持体４が形成される。このようにして形成された支持体４は嵌合部４１を前記アリ溝３１に嵌合させることにより、図４で表わされたように台座３０上にしっかりと固定される。【００２６】  図４はこの使用状態を表わしたものであるが、図の左方を前側として、大きさが中と小の支持体４を中のものが前側となるように合わせたもの、前側が中で後側が大のものを合わせたもの、前側が大で後側が小のもの、前後共に中のもの、の４種類の組み合わせが用いられている。一般的な厚さのＣＤケースＣ−１を支持するためには図示のように配設することで、後方に緩い角度で、前方にこれよりも急な角度で持たせ掛かるようにすることができる（図から明らかなように支持部４０はその形状から高さ及び厚さが異なるものであると共に掛止手段であるものと見做し得る）。次に特に厚いＣＤケースＣ−２のためには、アリ溝３１を一つ空けるようにして図示のように配設する。支持体４の間隔が広くなるため、背の高い支持部４０で掛止するようになる。また特に薄いＣＤケースＣ−３の場合には前側は低くとも後側が背が高く幅が狭くなるような組み合わせの支持部４０を用いるようにする。このようにしてＣＤケースＣ−１〜Ｃ−３はその頂部が図４で表わしたようにほぼ揃うために整然として見える。なお各種の支持部４０の組み合わせやその配置は自由に変更することができる。【００２７】  第３の実施形態
この実施形態のスタンド３２を図６の平面図、図７の使用状態を表わす側面図及び図８の各種支持体の説明図を用いて説明する。この実施形態のスタンド３２は台座３３と支持体４３との組み合わせに成るものであり、台座３３には円形の挿入孔３４が等間隔で並行に設けられている。支持体４３は横断面が円形状を呈して、その頂部にフランジ部４４が形成されており、図７で表わされているように、支持体４３の先端部が前記挿入孔３４に挿入されて台座３３の裏面側でネジ４５で台座３３上にしっかりと固定されている。【００２８】  図７はこの使用状態を表わしたものであるが、一般的な厚さのＣＤケースＣを整然と収納することができる。図７では支持体４３を等間隔で台座３３上に固定しており、１種類の厚さのＣＤケースＣの専用とした例であるが、支持体４３を間引くことで更に厚みのあるＣＤケースが収納可能である。支持体４３と支持体４３との間にＣＤケースを納めて後方に向けて持たせ掛かるようにすると、ＣＤケースの下縁部（角部）が支持体４３のフランジ部４４によってしっかりと保持される。【００２９】  図８は異なる高さや異なるフランジ部の幅に付いて図解したものである。すなわち図８（イ）を標準の高さｈと標準の幅ｗのフランジ部４４とを有する支持体４３とすると、図８（ロ）はこれよりも高い高さＨを備えるものであると共に、縦方向に半割りしたものを、背中合わせにして用いるためのものである。従って高さの異なるものを組み合わせて背中合わせにして使用することが可能である。なお符号４６は支持体であり符号４７はフランジ部である。またこの支持体４６はその先端部を台座に対してかしめて固定するものである。次に、図８（ハ）の支持体４８はその頂部に円盤状のフランジ部４９を備えている。これは（ロ）のフランジ部４７の幅ｗよりも広い幅Ｗを有している。なお図（イ）（ハ）のものは台座に対してネジで着脱自在である。【００３０】  第４の実施形態
図９はこの実施形態のスタンド５を側面図で表わしたものである。スタンド５は台座５０と２種の支持体６，６２との組み合わせに成るものであり、台座５０を略垂直の姿勢で設置するようにした点に特徴を有する。このスタンド５は図示しない吊り下げ紐を以て壁面に吊り下げるようにして展示する。従ってＣＤケースＣはその表面を見せるようにして展示されるわけであり、吊り下げ紐は垂直設置手段である。【００３１】  台座５０には断面が台形状を呈するアリ溝５１が等間隔で並行に設けられている（これには第２の実施形態で用いた台座３０を流用することも可能である）。支持体６はＣＤケースＣを受けるのに十分な横幅を備えており、嵌合部６１を以て台座５０のアリ溝５１に嵌合した時に上方に直角に折れる掛止部６０が形成されている。また支持体６２は支持体６を細かく切断したような形状を呈すると共に、嵌合部６４の付き方が嵌合部６１とは直角となるように形成されたものである。【００３２】  こうして図９に示したようにスタンド５を立てた姿勢にした時に下側となるアリ溝５１に、掛止部６０が上方を向く姿勢を取らせるべく嵌合部６１を嵌め合わせるようにして支持体６を固定すると共に、支持体６で受けるＣＤケースＣの両端部に於いて抱持部６３が内側を向くようにして、アリ溝５１に嵌合部６４を嵌め合わせるようにして支持体６２を固定する。これによりＣＤケースＣは下側の支持体６に受けられて掛止部６０で脱落が阻止されると共に、両側の支持体６２の抱持部６３によって抱えられて前方への傾倒落下が阻止されるのである。このような支持体６と支持体６２との組を複数組、台座５０上に設けてスタンド５とするのである。なおこの配置は変更可能である。こうしてＣＤケースＣは整然と陳列されることになる。【００３３】  第５の実施形態
図１０はこの実施形態のスタンド５２を側面図で表わしたものである。スタンド５２は台座５３と支持体６５との組み合わせに成るものであり、台座５３をその背面に取り付けた脚部５５にて傾斜姿勢で設置するようにした点に特徴を有する。支持体６５はその頂部にフランジ部６６を備えており、台座５３には挿入孔５４に挿入した後にネジ６７で止めることで固定される。【００３４】  そしてＣＤケースＣの表面に透明なアクリル板５６を重ね合わせて、上下の支持体６５，６５の間に挿入すると、下側の支持体６５に支持されて展示される。前記透明なアクリル板５６は上下の支持体６５のフランジ部６６に掛止されているため、不本意に外れることがない。【００３５】  なおこの第５実施形態ではＣＤケースＣを展示するものとしたが、支持体６５の長さを調節することで写真や絵画のフレームとすることが可能である。すなわち写真や絵画に透明なアクリル板（透明なガラス板などでも構成し得る）を重ね合わせて、上下の支持体６５，６５の間に挿入するようにするのである。写真や絵画は不本意に外れることはないが、装着や取り外しは容易であり、これまでにない新しいフレームとなっている。【００３６】  第６の実施形態
この実施形態のスタンドの台座７を図１１の平面図であらわす。また複数個の台座７の連結状態を図１２の断面図を用いて説明する。この実施形態の台座７には、その表側に断面が台形状を呈する表アリ溝７０が、等間隔で並行に設けられている。この表アリ溝７０の深さは台座７の厚さの半分よりも幾分大きく取ることとする。またこの台座７には、その裏側に断面が台形状を呈する裏アリ溝７２が、等間隔で並行に且つ前記表アリ溝７０とは直角方向に設けられている。同様にこの裏アリ溝７２の深さは台座７の厚さの半分よりもやや大きく取ることとする。従って表アリ溝７０と裏アリ溝７２との交点には必然的に貫通孔７４が形成されている。なお符合７１は表アリ溝７０の傾斜面を指し、符号７３は裏アリ溝７２の傾斜面を指す。【００３７】  この実施形態のスタンドの台座７は、図１２に示したダボ８を用いて横方向に連結することができる（図中で矢線はこの連結箇所を指し示す）。前記表アリ溝７０には図示しない支持体が嵌め込まれて、図４の第２の実施形態に見たようなスタンドを構成するわけであるが、左右方向に隣り合う台座７を連結するには、台座７間を跨ぐようにして、裏アリ溝７２にダボ８を嵌め込むようにするのである。このダボ８には、隣り合う台座７の最短の表アリ溝７０の間隔で脱落防止溝８１が形成されていると言う特徴があり、この脱落防止溝８０を表アリ溝７０の位置に合わせてから、表アリ溝７０にこのアリ溝と同じ形状の脱落防止体８１を嵌め込むことで、組木細工のような嵌め合わせを実現しダボ８を確実に固定して台座７の連結を丈夫なものにすることができるのである。なお上下方向に隣り合う台座７を連結するには台座７間を跨ぐようにして表アリ溝７０にダボ８を嵌め込むようにし、このダボ８の脱落防止溝８０に脱落防止体８１を嵌め込むことによって固定すればよい。これ等表裏のアリ溝７０，７２と、ダボ８と脱落防止溝８０と脱落防止体８１とで連結手段が構成されている。このようにして収納・陳列するＣＤケースの数を増やして行くことが可能である。
【産業上の利用可能性】
【００３８】  この発明では、新旧規格のデジタルビデオディスクなどのディスクメディアもコンパクトディスクに含めるものとする。また通常コンパクトディスクのケースはコンパクトディスクを収容すると同時に、歌詞カードやアルバムジャケット等を収容している。このジャケットに注目するとこれは写真であったりイラストであったりする。してみればこの発明はコンパクトディスクのケース以外にも上述した写真や絵画のフレームに、また例えば書籍の収納・陳列用にこの発明を構成することが可能であるため、これ等用のスタンドもまたこの発明の権利範囲内のものであると言うことができる。例えば透明な薄いプラスチックのケースに写真を入れて、この発明のスタンドに図４や図７で示すように立てて飾るようにするのである。
【図面の簡単な説明】
【００３９】
【図１】  第１の実施形態のコンパクトディスク・スタンドの斜視図である。
【図２】  使用状態を表わすＸ−Ｘ断面図である。
【図３】  支持体の他の実施例を表わす側面図である。
【図４】  第２の実施形態のコンパクトディスク・スタンドの側面図である。
【図５】  支持体の説明図である。
【図６】  第３の実施形態のコンパクトディスク・スタンドの平面図である。
【図７】  使用状態を表わす側面図である。
【図８】  支持体の説明図である。
【図９】  第４の実施形態のコンパクトディスク・スタンドの側面図である。
【図１０】  第５の実施形態のコンパクトディスク・スタンドの側面図である。
【図１１】  第６の実施形態のコンパクトディスク・スタンドの台座の平面図である。
【図１２】  台座の連結状態を表わす断面図である。
【符号の説明】
【００４０】１    スタンド
１０  台座
１１  支持体
１２  支持体
１３  弾性材
１４  支持体
１５  凹凸部
２    磁石
２０  ヨーク
２１  磁着板
３    スタンド
３０  台座
３１  アリ溝
３２  スタンド
３３  台座
３４  挿入孔
４    支持体
４０  支持部
４１  嵌合部
４２  背面部
４３  支持体
４４  フランジ部
４５  ネジ
４６  支持体
４７  フランジ部
４８  支持体
４９  フランジ部
５    スタンド
５０  台座
５１  アリ溝
５２  スタンド
５３  台座
５４  挿入孔
５５  脚部
５６  アクリル板
６    支持体
６０  掛止部
６１  嵌合部
６２  支持体
６３  抱持部
６４  嵌合部
６５  支持体
６６  フランジ部
６７  ネジ
７    台座
７０  表アリ溝
７１  傾斜面
７２  裏アリ溝
７３  傾斜面
７４  貫通孔
８    ダボ
８０  離脱防止溝
８１  離脱防止体
【図１】
2009046200.tif 000003
【図２】
2009046200.tif 000004
【図３】
2009046200.tif 000005
【図４】
2009046200.tif 000006
【図５】
2009046200.tif 000007
【図６】
2009046200.tif 000008
【図７】
2009046200.tif 000009
【図８】
2009046200.tif 000010
【図９】
2009046200.tif 000011
【図１０】
2009046200.tif 000012
【図１１】
2009046200.tif 000013
【図１２】
2009046200.tif 000014